(57)【要約】      （修正有）【課題】同時にソファへの着座と横臥を実現し、且つ、構造がコンパクトで、床面積が小さく、実用性が高いモジュールソファ、及びソファベッドを提供する。【解決手段】リクライニングチェア及びフットスツールを含み、リクライニングチェアは、一体になった基盤部１１、リクライニングチェア本体部１２、背もたれ部１３、頭もたせ部１４を含み、基盤部は、リクライニングチェア本体部の下方に位置し、リクライニングチェア本体部の底面は、人体の曲線構造に合わせた曲面を呈しており、背もたれ部と頭もたせ部は、それぞれ組み合わされて弧状の凹溝１２１に設置される。またフットスツールは、一体になったフットスツール本体２１と枕部２２を含む。【選択図】図２
0003214686.tif 000002
【実用新案登録請求の範囲】
【請求項１】
モジュール式ソファであって、全体が長方体を呈するリクライニングチェア（１）を含み、前記リクライニングチェア（１）は、一体に接合する基盤部（１１）、リクライニングチェア本体部（１２）、背もたれ部（１３）、頭もたせ部（１４）を含み、
前記基盤部（１１）は、前記リクライニングチェア本体部（１２）の下方に位置し、前記背もたれ部（１３）と前記頭もたせ部（１４）は、前記リクライニングチェア本体部（１２）の上方に設けられ、
前記リクライニングチェア本体部（１２）の底面は、人体の曲線構造に合わせた曲面を呈しており、前記リクライニングチェア本体部の頂部（１２）は、下方へ凹む弧状の凹溝（１２１）を有し、
前記基盤部（１１）の底面は水平となり、頂面は前記リクライニングチェア本体部（１２）の底面と合わさり、
前記背もたれ部（１３）及び前記頭もたせ部（１４）の頂面は水平で、前記背もたれ部（１３）及び前記頭もたせ部（１４）の底面は、前記リクライニングチェア本体部（１２）の弧状の前記凹溝（１２１）と組み合わせられる曲面であり、また、前記背もたれ部（１３）と前記頭もたせ部（１４）は、それぞれ組み合わされて前記リクライニングチェア本体部（１２）の弧状の前記凹溝（１２１）に設置され、且つ前記基盤部（１１）、前記リクライニングチェア本体部（１２）、前記背もたれ部（１３）、及び前記頭もたせ部（１４）は、完全な長方体に接合する、
ことを特徴とするモジュール式ソファ。
【請求項２】
前記リクライニングチェア本体部（１２）の前記底面の曲面は、順に第１上凹部（１２ａ）、第１下凸部（１２ｂ）、第２上凹部（１２ｃ）及び第２下凸部（１２ｄ）を含み、
前記リクライニングチェア本体部（１２）は、反転した状態で、前記第１上凹部（１２ａ）を頭置き部とし、前記第１下凸部（１２ｂ）を首支持部とし、前記第２上凹部（１２ｃ）を背置き部とし、前記第２下凸部（１２ｄ）を腰支持部とする、
ことを特徴とする請求項１に記載のモジュール式ソファ。
【請求項３】
一体になったフットスツール本体（２１）及び枕部（２２）を含むフットスツール（２）を更に含み、
前記フットスツール本体（２１）の底面は水平で、頂部は下方へ凹む収納溝を有し、前記枕部（２２）の頂面は水平で、底面は頭を載せる面であり、前記枕部（２２）の底面を前記フットスツール本体（２１）の前記収納溝に合わせ、前記枕部（２２）を前記フットスツール本体（２１）の前記収納溝に嵌着されることにより完全な長方体に接合される、
ことを特徴とする請求項１に記載のモジュールソファ。
【請求項４】
請求項３に記載のモジュールソファを用いるソファベッドであって、
前記フットスツール（２）全体の大きさは前記リクライニングチェア（１）と同じで、ソファベッドの基部は、少なくとも１つの前記フットスツール（２）と少なくとも１つの前記リクライニングチェア（１）が組合せられて形成され、さらに、前記基部の外部がカバーで覆われる、
ことを特徴とするソファベッド。
【請求項５】
前記ソファベッドの前記基部は、１つの前記フットスツール（２）及び３つの前記リクライニングチェア（１）が組合せられて形成される、
ことを特徴とする請求項４に記載のソファベッド。
【考案の詳細な説明】
【技術分野】
【０００１】
本考案は、ソファの技術分野に関し、具体的にモジュール式ソファ及びそれを用いたソファベッドに関する。
【背景技術】
【０００２】
現在、ソファは、家具中の生活必需品として広く各家庭に普及している。人は、ソファに座ってテレビを見たり、ソファの上に横たわって休んだり、家にお客が来られた時にソファをベッドとして使用することもある。そのため、今、多くの市販ソファは、座るにも寝るにも適したものである。但し、そのようなソファは、多くの面積を取るため、狭い部屋の利用者に不適切であるので、利用者の様々なニーズに応える設置面積の小さなソファの考案は重要となる。
【０００３】
上記の問題を解決するため、特許文献１（中国実用新案公告第２０１７０９８５７号明細書）では、折り畳みソファを開示している。該ソファは、第１ソファ及びその一側に設けられるヒンジ接続の第２ソファを含み、第１ソファ及び第２ソファは、展開や折り畳みを実現することで、使いやすいものである。さらに、特許文献２（中国実用新案公告第２６４８９２３号明細書）が開示したソファは、シートクッションをバッククッション溝に埋め込み、様々なソファとベッドに組み合わせ、設計が新しく、組合せ易く、制作も容易なものである。しかしながら、上記の開示したソファの組合せ方法は、シンプルであり、小さい正方形スツールやリクライニングチェアとしてのみに使用するが、利用者の他のニーズを満足できない。
【考案の概要】
【０００４】
本考案で解決しようとする第１の技術的問題としては、従来技術の現状に対し、構造が簡単、コンパクトで、床面積の小さなモジュール式ソファを提供する。該ソファは、様々な組合せで、着座と横臥を実現し、実用性に最適する。
【０００５】
本考案で解決しようとする第２の技術的問題としては、上記のモジュール式ソファからなるソファベッドを提供する。
【０００６】
本考案が上記の第１の技術的問題を解決する時に採用する技術的解決手段としては、モジュール式ソファであって、全体が長方体を呈するリクライニングチェアを含み、該リクライニングチェアは、一体となった基盤部、リクライニングチェア本体部、背もたれ部、頭もたせ部を含み、基盤部、リクライニングチェア本体部、背もたれ部、頭もたせ部は、全て自由に組み合わせられる独立部であり、
そのうち、基盤部は、リクライニングチェア本体部の下方に位置し、背もたれ部と頭もたせ部は、リクライニングチェア本体部の上方に設けられ、
リクライニングチェア本体部の底面は、人体の曲線構造に合わせた曲面を呈しており、リクライニングチェア本体部の頂部は、下方へ凹む弧状の凹溝を有し、
基盤部の底面は水平となり、頂面はリクライニングチェア本体部の底面と合わさり、
背もたれ部及び頭もたせ部の頂面は水平で、背もたれ部及び頭もたせ部の底面は、リクライニングチェア本体部の弧状の凹溝と組み合わせられる曲面であり、また、背もたれ部は頭もたせ部の側面にくっつけられた後、背もたれ部と頭もたせ部は、それぞれ組み合わされてリクライニングチェア本体部の弧状の凹溝に設置され、且つ基盤部、リクライニングチェア本体部、背もたれ部、頭もたせ部は、完全な長方体に接合することを特徴とする。
【０００７】
上記の解決手段において、前記リクライニングチェア本体部の底面の曲面は、順に第１上凹部、第１下凸部、第２上凹部及び第２下凸部を含み、前記リクライニングチェア本体部は、反転した状態で、第１上凹部を頭置き部とし、第１下凸部を首支持部とし、第２上凹部を背置き部とし、第２下凸部を腰部支持部とする。リクライニングチェア本体部の底面の曲面は、人体の曲線をもとに設計され、使い心地を向上させる。
【０００８】
改善として、さらにフットスツールを含み、該フットスツールは一体になったフットスツール本体及び枕部を含む。
【０００９】
そのうち、フットスツール本体の底面は水平で、頂部は下方へ凹む収納溝を有し、枕部の頂面は水平で、底面は頭を載せる面であり、さらに枕部の底面をフットスツール本体の収納溝に合わせ、枕部をフットスツール本体の収納溝に嵌着されることにより完全な長方体に接合される。必要があれば、枕部を取り出し、枕部の頂面をフットスツール本体の底面に置き、枕として使用することができる。
【００１０】
本考案が上記の第２の技術的問題を解決する時に採用する技術的解決手段としては、上記のモジュール式ソファを用いるソファベッドであって、前記フットスツール全体の大きさはリクライニングチェアと同じで、ソファベッドの基部は、少なくとも１つのフットスツールと少なくとも１つのリクライニングチェアとが組合せられて形成され、さらに、基部の外部がカバーで覆われる。これにより、横たわる時のユニットの予想外な移動を防止する。
【００１１】
上記の解決手段において、ソファベッドの基部は、１つのフットスツール及び３つのリクライニングチェアが組み合わせられて形成される。実際に使用する時には、１つのフットスツールはコーヒーテーブルとして使用し、３つのリクライニングチェアは横臥や着座に使用することにより、４つのユニットは１セットの製品として普及し、使用される。
【００１２】
従来技術と比べ、本考案は、リクライニングチェアが一緒に組み合わせられて設けられた基盤部、リクライニングチェア本体部、背もたれ部及び頭もたせ部により、基盤部、リクライニングチェア本体部、背もたれ部及び頭もたせ部は自由に組合せられ、ソファへの着座と横臥を実現し、利用者に利便性を提供し、且つ、リクライニングチェアに座る時、全体は長方体となり、構造がコンパクトで、設置面積が小さく、特に小さな部屋に最適である。本考案のソファを組合せたソファベッドは、組合せやすく、実用性が高く、ソファの機能性を高める。
【図面の簡単な説明】
【００１３】
【図１】本考案の実施例のリクライニングチェア及びフットスツールの概略構造図である。
【図２】図１のリクライニングチェアの組合せ配置を変えた後の概略構造図である。
【図３】図１のリクライニングチェアを反転した後の概略構造図である。
【図４】図３のリクライニングチェアの組合せ配置を変えた後の概略構造図である。
【図５】本考案の実施例のソファをソファベッドに組合せた時の概略構造図である。
【考案を実施するための形態】
【００１４】
以下、図面・実施例に従って本考案を詳細に説明する。
【００１５】
図１〜４に、本考案のモジュール式ソファの好ましい実施例を示す。
【００１６】
該モジュール式ソファは、リクライニングチェア１及びフットスツール２を含み、本実施例において、リクライニングチェア１及びフットスツール２全体は長方体で、同じ大きさである。
そのうち、前記リクライニングチェア１は、一体になった基盤部１１、リクライニングチェア本体部１２、背もたれ部１３、頭もたせ部１４を含み、基盤部１１、リクライニングチェア本体部１２、背もたれ部１３、頭もたせ部１４は、全て自由に組み合わせられる独立部である。
【００１７】
復元（完全な長方体に組み合わせられた）状態下で、基盤部１１は、リクライニングチェア本体部１２の下に位置し、背もたれ部１３と頭もたせ部１４は、リクライニングチェア本体部１２の上に嵌着される。
【００１８】
リクライニングチェア本体部１２の底面は、人体の曲線構造に合わせた曲面を呈しており、リクライニングチェア本体部１２の頂部は、下方へ凹む弧状の凹溝１２１を有し、リクライニングチェア本体部１２の底面の曲面は、順に第１上凹部１２ａ、第１下凸部１２ｂ、第２上凹部１２ｃ及び第２下凸部１２ｄを含む。このように、リクライニングチェア本体部１２は、反転した状態で、第１上凹部１２ａを頭置き部とし、第１下凸部１２ｂを首支持部とし、第２上凹部１２ｃを背置き部とし、第２下凸部１２ｄを腰支持部とし、横臥に使用される。
【００１９】
基盤部１１の底面は水平となり、頂面はリクライニングチェア本体部１２の底面と合わさり、そのため、基盤部１１の下凹部１１ａは、リクライニングチェア本体部１２の第２凸部１２ｄに対応し、該下凹部１１ａは尻置き部となる。
【００２０】
背もたれ部１３及び頭もたせ部１４の頂面は水平で、背もたれ部１３及び頭もたせ部１４の底面は、リクライニングチェア本体部１２の弧状の凹溝１２１と組み合わせられる曲面であり、また、背もたれ部１３は頭もたせ部１４の側面にくっつけられた後、背もたれ部１３と頭もたせ部１４は、それぞれ組み合わされてリクライニングチェア本体部１２の弧状の凹溝１２１に設置され、且つ基盤部１１、リクライニングチェア本体部１２、背もたれ部１３、頭もたせ部１４は、完全な長方体に接合する。
【００２１】
前記フットスツール２全体の大きさはリクライニングチェア１と同じで、該フットスツール１２は、一体となったフットスツール本体２１及び枕部２２を含む。そのうち、フットスツール本体２１の底面は水平で、頂部は下方へ凹む収納溝を有し、枕部２２の頂面は水平で、底面は頭を載せる面であり、さらに枕部２２の底面をフットスツール本体２１の収納溝に合わせ、枕部２２をフットスツール本体の収納溝に嵌着されることにより完全な長方体に接合される。
【００２２】
本実施例のモジュール式ソファは、様々なパターンで自由に組合せられる（具体的には図２〜４を参照）。
【００２３】
椅子として使用する時、リクライニングチェア１の背もたれ部１３をリクライニングチェア本体部１２頂部の弧状の凹溝１２１に沿って左又は右に適切な箇所に移動した後、頭もたせ部１４の頂面を背もたれ部１３の上部に置くと、自然に１つの椅子になる（図２を参照）。
【００２４】
利用者は横たわる時、図１のリクライニングチェア１を反転した後（図３に示す）、基盤部１１を回転し、基盤部１１の底面を地面に接触させ、基盤部１１の側面をリクライニングチェア本体部１２の低い側の側面と接合すればよい（図４を参照）。使用する時、利用者は、横になり、頭部を第１上凹部１２ａに置き、リクライニングチェア本体部１２底面の曲面は人体の曲線と合うため、利用者の首はぴったりと第１下凸部１２ｂに位置し、背部は第２上凹部１２ｃに位置し、腰部は第二下凸部１２ｄに位置し、尻はぴったりと基盤部１１の下凹部１１ａに位置し、脚は自然に基盤部１１の曲面で伸ばされ、したがって、リクライニングチェア本体部１２の曲面は、ちょうど人体の曲線と合う。
【００２５】
図５に、本考案のソファベッドの好ましい実施例を示す。モジュール式ソファを用いるソファベッドは、その基部は１つのフットスツール２及び３つのリクライニングチェア１が組合せられてなり、基部の外部がカバー（図示しない）で覆われ、そのうち、フットスツール２の枕部２２が設けられる面は下向きで地面と接触し、枕部２２を使用する時、枕部２２をリクライニングチェア本体２１から引き出し、枕部２２の頂面をソファベッドに置いて枕として使用する。
【先行技術文献】
【特許文献】
【００２６】
【特許文献１】中国実用新案公告第２０１７０９８５７号明細書
【特許文献２】中国実用新案公告第２６４８９２３号明細書
【図１】
0003214686.tif 000003
【図２】
0003214686.tif 000004
【図３】
0003214686.tif 000005
【図４】
0003214686.tif 000006
【図５】
0003214686.tif 000007